【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
被験者に送出される加圧した呼吸可能なガス流の１つ以上のパラメタを調整する圧支持システムにおいて、
前記被験者の気道に送出するための加圧した呼吸可能なガス流を生成する圧力発生器、
前記加圧した呼吸可能なガス流を加湿する加湿器、
前記加圧した呼吸可能なガス流の１つ以上のパラメタに関する情報を搬送する出力信号を生成する１つ以上のセンサ、
前記加圧した呼吸可能なガス流の快適度を示す、前記被験者からのフィードバック情報の入力及び/又は選択を受け取るユーザインタフェース、並びに
１つ以上の物理コンピュータ処理器
を有する圧支持システムであり、前記１つ以上の物理コンピュータ処理器は、コンピュータ可読命令により、
前記出力信号に基づいて、既定の治療レジメンに従って前記被験者に前記加圧した呼吸可能なガス流を送出するように前記圧力発生器及び前記加湿器を制御する、
前記ユーザインタフェースを介して入力及び/又は選択されたフィードバック情報を受け取る、並びに
前記被験者の快適度を高めるために、前記加圧した呼吸可能なガス流への自動調整を行うことであり、前記自動調整は、前記受け取ったフィードバック情報及び前記出力信号に基づき、前記自動調整は、前記圧力発生器又は前記加湿器の１つ以上の調整を含んでいる、前記自動調整を行う、
圧支持システムにおいて、
前記１つ以上の物理コンピュータ処理器はさらに、コンピュータ可読命令により、
前記自動調整の後に、前記ユーザインタフェースを介して入力及び/又は選択された追加のフィードバック情報を受け取る、並びに
前記追加のフィードバック情報に基づいて、前記圧力発生器、前記加湿器又は周囲環境の１つ以上を手動で調整することを前記被験者に促す、
ことを特徴とする、圧支持システム。
【請求項２】
前記被験者の気道に前記加圧した呼吸可能なガス流を送出する被験者インタフェースをさらに有し、
前記１つ以上の物理コンピュータ処理器はさらに、前記出力信号に基づいて、前記既定の治療レジメンに従って前記被験者に前記加圧した呼吸可能なガス流を送出するように、前記被験者インタフェース、前記圧力発生器及び前記加湿器を制御し、
前記自動調整は、前記圧力発生器、前記加湿器又は前記被験者インタフェースの１つ以上の調整を含み、並びに
前記１つ以上の物理コンピュータ処理器はさらに、前記追加のフィードバック情報に基づいて、前記被験者インタフェースを手動で調整することを前記被験者に促す、
請求項１に記載のシステム。
【請求項３】
前記被験者の気道に前記加圧した呼吸可能なガス流を送出する被験者インタフェースをさらに有し、前記被験者インタフェースは、前記被験者インタフェースにある前記加圧した呼吸可能なガス流を制御可能で加熱する被験者インタフェース加熱器を含み、
前記１つ以上の物理コンピュータ処理器はさらに、前記出力信号に基づいて、前記既定の治療レジメンに従って前記被験者に前記加圧した呼吸可能なガス流を送出するように前記被験者インタフェース加熱器、前記圧力発生器及び前記加湿器を制御し、
前記自動調節は、前記圧力発生器、前記加湿器又は前記被験者インタフェース加熱器の１つ以上の調節を含み、並びに
前記１つ以上の物理コンピュータ処理器はさらに、前記追加のフィードバック情報に基づいて、前記被験者インタフェースを手動で調整することを前記被験者に促す、
請求項１に記載のシステム。
【請求項４】
前記１つ以上の物理コンピュータ処理器は、促される手動調整が前記周囲環境の温度を変更すること、前記既定の治療レジメンの治療の種類を変更すること又は前記圧支持システムの物理構成要素を変更することの１つ以上を含むように構成される、請求項１に記載のシステム。
【請求項５】
前記ユーザインタフェースは、前記圧力発生器と一体化したユーザインタフェース又はモバイルコンピューティング装置を介して前記被験者に示されるグラフィカルユーザインタフェースの１つ以上を含む、請求項１に記載のシステム。
【請求項６】
前記１つ以上の物理コンピュータ処理器は、前記既定の治療レジメンがその年の所与の季節中の一般的な周囲の気象状況及び/又は前記所与の季節中に受け取った前記被験者からの以前のフィードバック情報に基づくように構成される、請求項１に記載のシステム。
【請求項７】
コンピュータ可読命令を有するコンピュータプログラムであり、前記コンピュータ可読命令は、前記コンピュータプログラムが実行されるとき、１つ以上の物理コンピュータ処理器に、
加圧した呼吸可能なガス流の１つ以上のパラメタに関する情報を搬送する出力信号を生成する１つ以上のセンサにより生成される前記出力信号に基づいて、既定の治療レジメンに従って被験者に前記加圧した呼吸可能なガス流を送出するように、前記被験者の気道に送出するための加圧した呼吸可能なガス流を生成する圧力発生器及び前記加圧した呼吸可能なガス流を加湿する加湿器を制御するステップ、
前記加圧した呼吸可能なガス流の快適度を示す、前記被験者からのフィードバック情報の入力及び/又は選択を前記ユーザインタフェースから受け取るステップ、
前記被験者の快適度を高めるために、前記加圧した呼吸可能なガス流への自動調整を行うステップであり、前記自動調整は、前記受け取ったフィードバック情報及び前記出力信号に基づき、前記自動調整は、前記圧力発生器又は前記加湿器の１つ以上の調整を含んでいる、前記自動調整を行うステップ
を実行させる、コンピュータプログラムにおいて、前記コンピュータプログラムはさらに、前記コンピュータプログラムが実行されるとき、前記１つ以上の物理コンピュータ処理器に、
前記自動調整の後、前記ユーザインタフェースを介して入力及び/又は選択された追加のフィードバック情報を受け取るステップ、並びに
前記追加のフィードバック情報に基づいて、前記圧力発生器、前記加湿器又は周囲環境の１つ以上を手動で調整することを前記被験者に促すステップ
を実行させるコンピュータ可読命令を有するコンピュータプログラム。
【請求項８】
前記コンピュータプログラムが実行されるとき、前記１つ以上の物理コンピュータ処理器に、
前記出力信号に基づいて、前記既定のレジメンに従って前記被験者に前記呼吸可能なガス流を送出するように、前記被験者の気道に前記加圧した呼吸可能なガス流を送出する被験者インタフェース、前記圧力発生器及び前記加湿器を制御するステップ、及び
前記追加のフィードバック情報に基づいて、前記被験者インタフェースを手動で調整することを前記被験者に促すステップ
を実行させるコンピュータ可読命令をさらに有する請求項７に記載のコンピュータプログラムにおいて、
前記自動調整は、前記圧力発生器、前記加湿器又は前記被験者インタフェースの１つ以上の調整を含んでいる、
コンピュータプログラム。
【請求項９】
前記コンピュータプログラムが実行されるとき、前記１つ以上の物理コンピュータ処理器に、
前記出力信号に基づいて、前記既定の治療レジメンに従って前記被験者に前記加圧した呼吸可能なガス流を送出するように、前記被験者の気道に前記加圧した呼吸可能なガス流を送出する被験者インタフェースに含まれる、及び前記被験者インタフェースにある前記加圧した呼吸可能なガス流を制御可能で加熱する被験者インタフェース加熱器、前記圧力発生器及び前記加湿器を制御するステップ、並びに
前記追加のフィードバック情報に基づいて、前記被験者インタフェースを手動で調整することを前記被験者に促すステップ
を実行させるコンピュータ可読命令をさらに有する請求項７に記載のコンピュータプログラムにおいて、
前記自動調整は、前記圧力発生器、前記加湿器又は前記被験者インタフェース加熱器の１つ以上の調整を含んでいる、
コンピュータプログラム。
【請求項１０】
促される手動調整は、前記周囲環境の温度を変更すること、前記既定の治療レジメンの治療の種類を変更すること又は前記圧支持システムの物理構成要素を変更することの１つ以上を含む、請求項７に記載のコンピュータプログラム。
【請求項１１】
前記既定の治療レジメンは、その年の所与の季節中の一般的な周囲の気象状況及び/又は前記所与の季節中に受け取った前記被験者からの以前のフィードバック情報に基づいている、請求項７に記載のコンピュータプログラム。